【事件の表示】
　特許第２９８０２３２号「内視鏡」の請求項１、２に係る特許に対する特許異議の申立てについて、次のとおり決定する。
【結　論】
　訂正を認める。
　特許第２９８０２３２号の請求項１ないし２に係る特許を維持する。
【理　由】
１．手続きの経緯                                                        　
　特許第２９８０２３２号の請求項１に係る発明の手続きの経緯は、以下のとおりである。
  出願　　　　　　　　　　平成４年４月９日（実願平４−２２１３９号の変更）
  設定登録　　　　　　　　平成１１年９月１７日
  特許異議の申立て　　　　平成１２年５月１５日（旭光学工業株式会社）
  取消理由通知　　　　　　平成１３年４月１０日
  意見書、訂正請求　　　　平成１３年６月８日
　　　　　　　　　　
２．訂正請求について
２−１．請求の趣旨及び訂正事項
　訂正請求の趣旨は、特許第２９８０２３２号の明細書を訂正請求書に添付した訂正明細書のとおり訂正することを求めるものであり、その訂正事項は、以下のとおりのものである。
  訂正事項ａ
　特許明細書の特許請求の範囲の請求項１を、
　「【請求項１】注入器具を取り付けて注水を行うための注水口が内視鏡本体の挿入部外の部分に設けられるとともに、上記内視鏡本体内に配設され、先端部が上記挿入部の先端開口部に連結された送水管路に上記注水口が連通された内視鏡において、
上記送水管路における上記先端開口部側から上記注水口側への流れを阻止するための逆止弁を、上記注入器具を取り付ける略管状の装着アダプターの内端部側の内部に着脱自在に支持させ、該装着アダプターを、上記注水口から取り外すことによって、上記逆止弁を取り外すことが可能な構成とし、該逆止弁を上記注水口から取り外した際に、該注水口から上記送水管路内に掃除用ブラシを挿入できるようにしたことを特徴とする内視鏡。」と訂正する。
　訂正事項ｂ
　特許明細書の段落番号【００１０】の「請求項１に記載の発明は、〜高めるようにしたものである。」を、
　「請求項１の発明は、注入器具を取り付けて注水を行うための注水口が内視鏡本体の挿入部外の部分に設けられるとともに、上記内視鏡本体内に配設され、先端部が上記挿入部の先端開口部に連結された送水管路に上記注水口が連通された内視鏡において、上記送水管路における上記先端開口部側から上記注水口側への流れを阻止するための逆止弁を、上記注入器具を取り付ける略管状の装着アダプターの内端部側の内部に着脱自在に支持させ、該装着アダプターを、上記注水口から取り外すことによって、上記逆止弁を取り外すことが可能な構成とし、該逆止弁を上記注水口から取り外した際に、該注水口から上記送水管路内に掃除用ブラシを挿入できるようにしたことを特徴とするものである。そして、本請求項１の発明では、送水管路内の洗浄作業時に、注入器具を取り付ける装着アダプターを、注水口から取り外すことによって、逆止弁を取り外すことが可能な構成とし、逆止弁を取り外して注水口から送水管路内に掃除用ブラシを簡単に挿入でき、注水口から送水管路内部の内部への洗浄性を高めるようにしたものである。」と訂正する。　　　　　　　　
２−２．訂正要件の適否及び拡張・変更の存否
　上記訂正事項ａは、（１）「装着アダプター」を、「略管状の装着アダプター」に変更し、また、（２）「・・・逆止弁を、・・・装着アダプターに着脱自在に支持させ」を「・・・逆止弁を、・・・装着アダプターの内端部側の内部に着脱自在に支持させ」に変更したものであり、、特許請求の範囲の減縮を目的とした明細書の訂正に該当し、また、上記訂正事項ｂは、上記訂正事項ａと整合を図るものであるから、明りょうでない記載の釈明を目的とした明細書の訂正に該当し、訂正事項ａ（１）、（２）は、願書に添付された明細書の段落番号【００８１】及び【００８３】に記載されているから、訂正事項ａ、ｂのいずれも、新規事項の追加に該当せず、実質的に特許請求の範囲を拡張又は変更するものではない。
２−３．むすび
　以上のとおりであるから、上記訂正は特許法第１２０条の４第２項及び同条第３項において準用する同法第１２６条第２，３項の規定に適合するので、当該訂正を認める。
３．特許異議の申立てについて
３−１．異議申立ての理由の概要
　異議申立人旭光学工業株式会社は、本件請求項１に係る発明は、甲第１号証（特開昭６３−３５２２６号公報）、甲第２号証（実願平２−２３３５号（実開平２−１１６４０５号）のマイクロフイルム）及び甲第３号証（実願昭６０−６６８７号（実開昭６１−１２４６０３号）のマイクロフイルム）に記載された発明から、当業者が容易に発明をすることができたものであり、請求項２に係る発明は、甲第１〜３号証及び甲第４号証（実願昭６３−５２２３０号（実開平１−１５７７０７号）のマイクロフイルム）に記載された発明から、当業者が容易に発明をすることができたものであるから、特許法第２９条第２項の規定により、特許を受けることができないものであるから、特許を取り消すべきと主張している。
３−２．本件発明
  特許第２９８０２３２号の請求項１，２に係る発明は、平成１３年６月８日付けの訂正明細書の特許請求の範囲の請求項１、２に記載された次のとおりのものである。
  請求項１：「注入器具を取り付けて注水を行うための注水口が内視鏡本体の挿入部外の部分に設けられるとともに、上記内視鏡本体内に配設され、先端部が上記挿入部の先端開口部に連結された送水管路に上記注水口が連通された内視鏡において、
上記送水管路における上記先端開口部側から上記注水口側への流れを阻止するための逆止弁を、上記注入器具を取り付ける略管状の装着アダプターの内端部側の内部に着脱自在に支持させ、該装着アダプターを、上記注水口から取り外すことによって、上記逆止弁を取り外すことが可能な構成とし、該逆止弁を上記注水口から取り外した際に、該注水口から上記送水管路内に掃除用ブラシを挿入できるようにしたことを特徴とする内視鏡。」
  請求項２：「上記注水口に上記逆止弁を具備しない場合、該注水口からの漏れを防ぐための蓋体を、上記注水口に着脱自在に装着可能としたことを特徴とする請求項１に記載の内視鏡。」
３−３．刊行物の記載事項
  特許異議申立人が証拠として提示した刊行物には、それぞれ以下の事項が記載されている。
　刊行物１：特開昭６３−３５２２６号公報（甲第１号証）
  『内視鏡内に配設された送水管路に対して、補助的に液体を送り込む注入器具を取り付ける補助注入装置Ｄ（本件請求項１記載の発明における「注水口」に相当する。）を備える内視鏡において、把持部４のカバー２５の一部を開口させて円筒状の接続部４０を形成し、その内外に支持筒２９と係合部材３９を設け、支持筒２９の内側に注入口体２７を挿入し、支持筒２９と注入口体２７との間に、前記送水管路から補助注入装置外への流れを阻止する逆止弁３０（本件請求項１記載の発明における「逆止弁」に相当する。）が挟持されている。』（第１，２図参照）
　刊行物２：実願平２−２３３５号（実開平２−１１６４０５号）のマイクロフイルム（甲第２号証）
 『内視鏡の鉗子栓において、鉗子チャンネル８側から鉗子栓２７外方向への流体や汚物などの逆流がある時には、それを阻止するために閉じるスリット３３を有する、逆止弁の機能を備えた弁部３２の鍔５１が、本体５２の凸部５４に係合しており、本体５２を取り外すことにより弁部３２も同時に取り外すことができる。』（第４図参照）　
　刊行物３：実願昭６０−６６８７号（実開昭６１−１２４６０３号）のマイクロフイルム（甲第３号証）
  『薬液などを注入するための複数のチャンネルを備える内視鏡において、チャンネルの挿入口部１０，１１に装着されるアダプタ１２，１３を取り外すことにより、チャンネル内に清掃用ブラシ６２を挿入することができる。』（第１，９，１３図参照）　
　刊行物４：実願昭６３−５２２３０号（実開平１−１５７７０７号）のマイクロフイルム（甲第４号証）
  『流体注入器２９を装着する接続体３０を備える内視鏡において、接続体に流体注入器を装着しないときに、接続体にキャップ３６を装着することができる。』（第１，２図参照）
３−４．対比・判断
　訂正明細書の請求項１に記載された発明と刊行物１〜３に記載された発明とを対比すると、刊行物１には、本件請求項１記載の発明における「注水口」及び「逆止弁」にそれぞれ相当する、「補助注入装置」及び「逆止弁」が記載されているものの、本件請求項１に記載された発明における「逆止弁を、上記注入器具を取り付ける略管状の装着アダプターの内端部側の内部に着脱自在に支持させ、該装着アダプターを、上記注水口から取り外すことによって、逆止弁を取り外すことが可能」という構成は、刊行物１〜３のいずれにも記載されていないし示唆されてもいないし、また、これらの記載事項を組み合わせても、上記構成を得ることはできない。
　また、本件請求項２に記載された発明は、本件請求項１に記載された発明にさらに限定を加えたものであり、本件請求項１に記載された発明の上記構成は、刊行物１〜４のいずれにも記載されていないし示唆されてもいないし、また、これらの記載事項を組み合わせても、上記構成を得ることはできない。　　　　　　　
　そして、本件請求項１、２に記載された発明は、その構成により、（１）「・・・補助注入装置の内部全体を角々まで洗浄することができ、補助注入装置の注入口金の内部に汚物の残留を確実に防止して補助注入装置の内部の洗浄性を高め、雑菌の繁殖を防止して患者への感染を確実に防止することができる。」（段落番号【００８４】）及び（２）「・・・注入口金からチューブ装着アダプターを取り外すことにより、逆止弁を注入口金から取り外すことができるので、逆止弁の着脱性をさらに向上させることができる。」（段落番号【００８５】）という訂正明細書記載の特有の効果を奏するものである。
　したがって、本件請求項１に記載された発明は、刊行物１〜３に記載の発明に基づいて当業者が容易に発明をすることができたものとすることができない。また、本件請求項２に記載された発明は、刊行物１〜４に記載の発明に基づいて当業者が容易に発明をすることができたものとすることができない。
３−５．むすび
　以上のとおりであるから、特許異議の申立ての理由及び証拠によっては、本件請求項１、２に係る発明の特許を取り消すことはできない。
　また、他に本件請求項１、２に係る発明の特許を取り消すべき理由を発見しない。
　よって、結論のとおり決定する。
【異議決定日】
平成１３年８月１６日（２００１．８．１６）
【訂正の要旨】
〔訂正の要旨〕
　特許第２９８０２３２号発明の明細書を、本件特許異議申立てに関連してなされた訂正請求書に添付した訂正明細書のとおりに訂正する。
　すなわち、特許請求の範囲の減縮を目的として下記（１）のとおり、明瞭でない記載の釈明を目的として下記（２）のとおり訂正する。
（１）特許請求の範囲の請求項１を、
「【請求項１】注入器具を取り付けて注水を行うための注水口が内視鏡本体の挿入部外の部分に設けられるとともに、上記内視鏡本体内に配設され、先端部が上記挿入部の先端開口部に連結された送水管路に上記注水口が連通された内視鏡において、
上記送水管路における上記先端開口部側から上記注水口側への流れを阻止するための逆止弁を、上記注入器具を取り付ける略管状の装着アダプターの内端部側の内部に着脱自在に支持させ、該装着アダプターを、上記注水口から取り外すことによって、上記逆止弁を取り外すことが可能な構成とし、該逆止弁を上記注水口から取り外した際に、該注水口から上記送水管路内に掃除用ブラシを挿入できるようにしたことを特徴とする内視鏡。」と訂正する。
（２）明細書段落番号【００１０】の「請求項１に記載の発明は、〜高めるようにしたものである。」（本件特許公報第３欄第４５〜第４欄第１３行）を、
「請求項１の発明は、注入器具を取り付けて注水を行うための注水口が内視鏡本体の挿入部外の部分に設けられるとともに、上記内視鏡本体内に配設され、先端部が上記挿入部の先端開口部に連結された送水管路に上記注水口が連通された内視鏡において、上記送水管路における上記先端開口部側から上記注水口側への流れを阻止するための逆止弁を、上記注入器具を取り付ける略管状の装着アダプターの内端部側の内部に着脱自在に支持させ、該装着アダプターを、上記注水口から取り外すことによって、上記逆止弁を取り外すことが可能な構成とし、該逆止弁を上記注水口から取り外した際に、該注水口から上記送水管路内に掃除用ブラシを挿入できるようにしたことを特徴とするものである。そして、本請求項１の発明では、送水管路内の洗浄作業時に、注入器具を取り付ける装着アダプターを、注水口から取り外すことによって、逆止弁を取り外すことが可能な構成とし、逆止弁を取り外して注水口から送水管路内に掃除用ブラシを簡単に挿入でき、注水口から送水管路内部の内部への洗浄性を高めるようにしたものである。」と訂正する。
（５４）【発明の名称】
内視鏡
（５７）【特許請求の範囲】
　【請求項１】　注入器具を取り付けて注水を行うための注水口が内視鏡本体の挿入部外の部分に設けられるとともに、上記内視鏡本体内に配設され、先端部が上記挿入部の先端開口部に連結された送水管路に上記注水口が連通された内視鏡において、
上記送水管路における上記先端開口部側から上記注水口側への流れを阻止するための逆止弁を、上記注入器具を取り付ける
略管状の
の内端部側の内部
　【請求項２】　上記注水口に上記逆止弁を具備しない場合、該注水口からの漏れを防ぐための蓋体を、上記注水口に着脱自在に装着可能としたことを特徴とする請求項１に記載の内視鏡。
【発明の詳細な説明】
　【０００１】
　【発明の属する技術分野】
　本発明は内視鏡内の主管路に補助的に流体を注入する補助注入装置を備えた内視鏡に関する。
　【０００２】
　【従来の技術】
　一般に、内視鏡の一種として例えば特開昭６３−３５２２６号公報に示されるように内視鏡内に配設された主管路に補助的に液体を送り込む補助注入装置が装着されたものが知られている。
　【０００３】
　この補助注入装置には内視鏡の例えば操作部に注入口体が装着されている。この注入口体の外端部には補助注入用のシリンジ等の外部器具が着脱可能に連結される。さらに、この注入口体の内端部には補助管の一端が連結されている。この補助管の他端は主管路に連結されている。
　【０００４】
　また、補助注入装置の注入口体は例えばゴム等の弾性材料によって形成されている。さらに、この注入口体には主管路側からの流体の逆流を防止する逆止弁が設けられている。この逆止弁は注入口体に一体的に形成されている。
　【０００５】
　そして、補助注入装置の注入口体に補助注入用のシリンジ等の器具が連結されていない場合には注入口体の逆止弁によって主管路側の供給流体が注入口体の連結口側に逆流することが防止される。
　【０００６】
　さらに、補助注入用シリンジ等の器具が注入口体に連結された場合にはこの補助注入用シリンジ等からの注入液体の供給によって逆止弁が開操作される。そして、補助注入用シリンジ等からの注入液体はこの逆止弁を通り、補助管を経て主管路側に供給されるようになっている。
　【０００７】
　【発明が解決しようとする課題】
　しかしながら、上記従来構成のものにあってはゴム等の弾性材料製の注入口体に主管路側からの流体の逆流を防止する逆止弁が一体的に形成されているので、補助注入装置の内部構造が比較的複雑になり、補助注入装置の内部の洗浄作業が難しい問題がある。
　【０００８】
　さらに、従来の注入器具を注水口に取り付けて挿入部先端に開口する送水管路内に注水するようにした場合には、逆止弁が注水口に一体的に形成されているので、術者等のユーザーが逆止弁を着脱することができない問題がある。又、注水口と送水管路との連結部分では送水管路もほぼ直角に曲っているので、注水口から送水管路内に掃除用ブラシを挿入した場合には挿入された掃除用ブラシが逆止弁にひっかかり、送水管路のブラッシングができなくなる問題がある。なお、仮に掃除用ブラシが逆止弁を通過できたとしても送水管路の途中でひっかかって掃除用ブラシをそれ以上挿入することも抜去することもできなくなり、内視鏡を修理に出さなければならなくなるおそれがある。
　【０００９】
　本発明は上記事情に着目してなされたもので、その目的は、注水口から送水管路の内部への洗浄性を高め、雑菌の繁殖を防止して患者への感染を確実に防止することができる内視鏡を提供することにある。
　【００１０】
　【課題を解決するための手段】
　請求項１の発明は、注入器具を取り付けて注水を行うための注水口が内視鏡本体の挿入部外の部分に設けられるとともに、上記内視鏡本体内に配設され、先端部が上記挿入部の先端開口部に連結された送水管路に上記注水口が連通された内視鏡において、上記送水管路における上記先端開口部側から上記注水口側への流れを阻止するための逆止弁を、上記注入器具を取り付ける
略管状の
の内端部側の内部
　【００１１】
　請求項２の発明では、上記請求項１に記載の内視鏡において、上記注水口に上記逆止弁を具備しない場合、該注水口からの漏れを防ぐための蓋体を、上記注水口に着脱自在に装着可能としたことを特徴とするものである。そして、本請求項２の発明では、注水口に逆止弁を具備しない場合、注水口からの漏れを防ぐための蓋体を、注水口に着脱自在に装着可能とすることにより、注水口からの漏れを防ぐようにしたものである。
　【００１２】
　【発明の実施の形態】
　以下、本発明の第１の実施の形態を図１乃至図１０を参照して説明する。図２は内視鏡１全体の概略構成を示すものである。この内視鏡１には挿入部２、操作部３、ユニバーサルコード４がそれぞれ設けられている。
　【００１３】
　ユニバーサルコード４の先端には図示しない光源装置に接続されるコネクタ部９が設けられている。そして、このコネクタ部９を光源装置に接続することにより、この光源装置内の光源から内視鏡１内に配設されたライトガイドの入射端面に照明光が供給される。このライトガイドはファイババンドルで構成されており、光源装置から入射端面に供給された照明光を伝送し、挿入部２の先端構成部の先端面に固着された図示しない出射端面から前方の被写体側に照明光を出射するようになっている。
　【００１４】
　さらに、挿入部２の先端に配設された先端構成部本体の先端面の略中央部位には観察窓８が水密状態で取付けられている。この観察窓８の周囲にはライトガイドの出射端面、上流側吸引管路１７ａの開口部および噴射ノズル７がそれぞれ配設されている。
　【００１５】
　また、挿入部２内には送気を行うための下流側送気管路５ａ、送水を行うための下流側送水管路６ａ、吸引を行うための上流側吸引管路１７ａがそれぞれ配設されている。
　【００１６】
　これらの下流側送水管路６ａ及び下流側送気管路５ａの先端側は挿入部２の先端部付近で合流して一本の共通の送気送水管路が形成されている。この送気送水管路の先端は送気送水ノズル７に連結されている。そして、この送気送水ノズル７を経て送気、あるいは送水された気体あるいは（洗浄水等の）液体を観察窓８の外表面に吹き付けることができるようにしてある。
　【００１７】
　また、上流側吸引管路１７ａの基端部側は操作部３から延出されたユニバーサルコード４内に配設された下流側吸引管路１７ｂ側に操作部本体３ａに設けられた吸引切換え弁２１を介して連結されている。
　【００１８】
　さらに、下流側送気管路５ａおよび下流側送水管路６ａの後端側は同様にユニバーサルコード４内に配設された上流側送気管路５ｂおよび上流側送水管路６ｂ側に操作部本体３ａに設けられた送気送水切換え弁２２を介してそれぞれ連結されている。
　【００１９】
　また、上流側吸引管路１７ａの中途部にはＹ字状の管路接続具を介して鉗子導入口金１９の一端が連結されている。この鉗子導入口金１９の他端は操作部３の把持部７１に突設された処置具導入口体７１ａに連結されている（図５参照）。
　【００２０】
　さらに、鉗子導入口金１９の開口端部には弾性材料からなる鉗子栓２０が着脱可能に連結されている。そして、上流側吸引管路１７ａにおけるＹ字状管路接続具の上流側部分と鉗子導入口金１９とによって処置具挿通チャンネル１８が形成されている。
　【００２１】
　さらに、ユニバーサルコード４の先端のコネクタ部９には送気口金１０、送気送水口金１１および吸引口金１２がそれぞれ突設されている。送気送水口金１１には送水口１３ａおよび第１，第２の送気口１３ｂ，１３ｃが設けられている。この場合、送気送水口金１１の第２の送気口１３ｃは送気口金１０に連通されている。
　【００２２】
　また、送気送水口金１１の送水口１３ａおよび第１の送気口１３ｂはそれぞれ上流側送水管路６ｂ、上流側送気管路５ｂに滑らかな曲線形状の接続部を介して接続されている。そして、送気送水口金１１には外部の送水タンク１４側の連結具１４ａが着脱可能に連結されている。
　【００２３】
　なお、コネクタ部９には送気送水口金１１に代えて図３に示すように送水タンク１４側の連結具１４ａを着脱可能に連結する連結凹部１１ａを形成し、この連結凹部１１ａに送水タンク１４側の連結具１４ａを嵌合させることにより、コネクタ部９と送水タンク１４側の連結具１４ａとを連結する構成にしてもよい。この場合、連結凹部１１ａの内壁面には送水口１３ａおよび第１，第２の送気口１３ｂ，１３ｃの各開口部がそれぞれ形成されている。
　【００２４】
　さらに、連結凹部１１ａの開口端部には連結具１４ａを係脱可能に係合する係合凹部１０１、連結具１４ａの外周面にはこの係合凹部１０１と対応する形状の係合凸部１０２がそれぞれ形成されている。そして、コネクタ部９の連結凹部１１ａに連結具１４ａを連結させた状態で、連結具１４ａの係合凸部１０２とコネクタ部９の係合凹部１０１との間の係合部によって抜け止め効果を得るようにしている。
　【００２５】
　また、連結具１４ａには送気送水口金１１（または連結凹部１１ａ）の送水口１３ａと対向する位置に送水口１０３ａが形成され、送気送水口金１１（または連結凹部１１ａ）の第１，第２の送気口１３ｂ，１３ｃと対向する位置に連通溝１０３ｂがそれぞれ形成されている。そして、この連結具１４ａの送水口１０３ａに送水チューブ１６の上端部、連通溝１０３ｂに送気チューブ１５の上端部がそれぞれ連結されている。
　【００２６】
　これらの送気チューブ１５、送水チューブ１６の各下端部は送水タンク１４側に連結されている。この場合、送水チューブ１６の下端部は送水タンク１４の内底部近傍部位まで延出されており、送水タンク１４内の洗浄水中に浸漬されている。さらに、送気チューブ１５の下端部は送水タンク１４内の上部に固定されている。そして、コネクタ部９の送気送水口金１１、或いは連結凹部１１ａに連結具１４ａが接続され、送気チューブ１５を経て送水タンク１４内に空気が供給されることにより、送水タンク１４内の空気が加圧されるようになっている。
　【００２７】
　また、下流側吸引管１７ｂの後端は吸引口金１２に接続されている。この吸引口金１２には図示しない吸引ポンプ、吸引ビンに連通する吸引チューブが接続されている。
　【００２８】
　そして、コネクタ部９を光源装置に接続することにより、コネクタ部９から突設された細管状の送気口金１０は光源装置内の図示しない送気ポンプと接続され、この送気ポンプから供給される空気をこの送気口金１０を経て送気送水口金１１の第２の送気口１３ｃ側へと導くようになっている。
　【００２９】
　したがって、この構成によれば、図４（Ａ），（Ｂ）に示すようにコネクタ部９の管路の分岐部（第１，第２の送気口１３ｂ，１３ｃ）を内視鏡１の外の連結具１４ａ側に設けることができるので、洗浄性の悪い分岐部を内視鏡１内に設ける必要がなく、コネクタ部９の送水口１３ａおよび第１，第２の送気口１３ｂ，１３ｃ内にブラシ１０４を挿入して洗浄する洗浄作業を容易化することができる。
　【００３０】
　さらに、図４（Ｂ）に示すようにコネクタ部９の送気送水口金１１（または連結凹部１１ａ）から連結具１４ａを取り外すことにより、第１，第２の送気口１３ｂ，１３ｃの分岐部である連結具１４ａ側の連通溝１０３ｂも外表面側に露出させることができるので、この部分にブラシ１０４を挿入して洗浄する洗浄作業の洗浄性も良い。また、第１，第２の送気口１３ｂ，１３ｃの分岐部である連通溝１０３ｂを送水タンク１４側に設けることにより、誤って送水タンク１４を倒した場合でも送気管路内に洗浄水が混入することを防止することができる。
　【００３１】
　さらに、送気送水口金１１（または連結凹部１１ａ）の送水口１３ａおよび第１の送気口１３ｂはそれぞれ上流側送水管路６ｂ、上流側送気管路５ｂに滑らかな曲線形状の接続部を介して接続され、しかも各管路が個々に開口しているので、ブラシ１０４を挿入する作業も可能となる。また、送水タンク１４内の送気チューブ１５および送水チューブ１６も管路が直線的に構成されているのでブラッシングが可能となる。
　【００３２】
　なお、連結具１４ａ内に連通溝１０３ｂを設ける代わりに図１４に示すように連結具１４ａ内に送気口１３ｃと送気チューブ１５との間を連結する連結通路１０３ｃを形成するとともに、送気口１３ｂと第２の送気チューブ１５ａとの間を連結する連結通路１０３ｄを設け、この第２の送気チューブ１５ａを図示しない送気ポンプに連結する構成にしても良い。この場合には２ポンプ方式の送気送水が可能となるので、高圧送気、噴霧送水等の機能が連結具１４ａを交換する作業のみで簡単に付加可能となる。
　【００３３】
　また、内視鏡１の操作部３には図５に示すように操作部本体３ａに外装ケース本体８２、操作部蓋体８１および手持ち用の把持部７１がそれぞれ設けられている。
　【００３４】
　外装ケース本体８２には吸引切換え弁２１の吸引ボタン２９、送気送水切換え弁２２の送気送水ボタン４４、挿入部２の先端を上下方向に湾曲操作する第１の操作ノブ７３、挿入部２の先端を左右方向に湾曲操作する第２の操作ノブ７４および接眼部７２等が取り付けられている。
　【００３５】
　さらに、操作部蓋体８１にはユニバーサルコード４が取り付けられている。また、手持ち用の把持部７１は外装ケース本体８２における挿入部２側の端部に連結されている。そして、把持部７１には下流側送水管路６ａの途中に送気または送水をするための後述する補助注入装置６１が設けられている。
　【００３６】
　また、操作部本体３ａの湾曲操作系は図６に示す構成になっている。ここで、外装ケース本体８２には湾曲操作系の装着穴８３が設けられている。さらに、外装ケース本体８２の外周面側に配設された中空のボルト８５が装着穴８３の内部に挿入されている。
　【００３７】
　このボルト８５の先端部は外装ケース本体８２の内周面側に配設されたナット８６に螺着されている。この場合、ボルト８５の外装ケース本体８２との接合面にはＯリング装着溝が形成されている。そして、ボルト８５とナット８６との螺合によってＯリング装着溝内に嵌着されたＯリング８４が外装ケース本体８２に押しつけられ、外装ケース本体８２の内部の水密状態が確保されるようになっている。
　【００３８】
　さらに、外装ケース本体８２の装着穴８３内にはボルト８５の内側の中心穴内を貫通させた固定軸８７が設けられている。この固定軸８７の外周面には内外の一対のアングル軸８９ａ，８９ｂが回転自在に装着されているとともに、この固定軸８７の内端部側には一対のスプロケット８８ａ，８８ｂが回転自在に装着されている。
　【００３９】
　この場合、内側のアングル軸８９ａの内端部には下側のスプロケット８８ａ、外側のアングル軸８９ｂの内端部には上側のスプロケット８８ｂがそれぞれ当接されており、これら当接面は回軸止め構造となっている。
　【００４０】
　さらに、内側のアングル軸８９ａの外端部には第２操作ノブ７４が、また外側のアングル軸８９ｂの外端部には第１の操作ノブ７３が各々スプライン９０によってかみ合う状態で組み付けられており、第２操作ノブ７４および第１の操作ノブ７３はそれぞれアングル軸８９ａ，８９ｂの軸心方向に沿って進退可能に支持されている。
　【００４１】
　そして、第２操作ノブ７４および第１の操作ノブ７３の回転操作にともないスプロケット８８ａ，８８ｂがそれぞれ回転駆動され、挿入部２の先端側に固定された図示しないアングルワイヤーをチェーンを介して押し引き操作するようになっている。なお、アングル軸８９ｂとボルト８５との間にはチェーンの脱落防止を兼ねたガイド軸９１が設けられている。
　【００４２】
　さらに、第２の操作ノブ７４には固定軸８７との接合面側に凹陥部９２が形成され、この凹陥部９２の内周面にテーパー面９２ａが形成されている。また、第１の操作ノブ７３にはガイド軸９１との接合面側に凹陥部９３が形成され、この凹陥部９３の内周面にテーパー面９３ａが形成されている。
　【００４３】
　また、固定軸８７およびガイド軸９１の各々テーパー面９２ａ，９３ａとの対向部位には弾性部材９４，９５が設けられている。さらに、固定軸８７と内側のアングル軸８９ａとの間、内側のアングル軸８９ａと外側のアングル軸８９ｂとの間、外側のアングル軸８９ｂとガイド軸９１との間、ガイド軸９１とボルト８５との間には各々シール部材９６，９７，９８，９９がそれぞれ設けられている。また、固定軸８７の外端部には第２の操作ノブ７４の脱落防止部材１００がねじ止めされている。
　【００４４】
　そして、内視鏡１の湾曲操作時には第２操作ノブ７４および第１の操作ノブ７３が外側に引き上げ操作される。これにより、第２操作ノブ７４のテーパー面９２ａおよび第１の操作ノブ７３のテーパー面９３ａが弾性部材９４、９５から離れ、軽く操作可能なフリー状態となる。
　【００４５】
　また、第２操作ノブ７４および第１の操作ノブ７３が内側に押し下げ操作されると第２操作ノブ７４のテーパー面９２ａおよび第１の操作ノブ７３のテーパー面９３ａが弾性部材９４、９５に圧接され、弾性部材９４、９５と第２操作ノブ７４のテーパー面９２ａおよび第１の操作ノブ７３のテーパー面９３ａとの間に摺動抵抗が発生し、エンゲージ状態となる。
　【００４６】
　そのため、この構成によれば第２操作ノブ７４および第１の操作ノブ７３の押し下げ量によって個々のノブ７４または７３のエンゲージ量を調整することができるので、各操作ノブ７４または７３のエンゲージ機構の構成を簡略化することができ、コスト低下を図ることができる。
　【００４７】
　また、操作部３の吸引切換え弁２１には図７に示すように操作部本体３ａ内に形成された吸引シリンダ２４が設けられている。この吸引シリンダ２４の開口端縁部にはシリンダ口金２６がねじ込み固定されている。このシリンダ口金２６には吸引ボタンユニット取り付け溝２６ａが形成されており、吸引ボタンユニット３０が取り外し可能に装着されている。
　【００４８】
　この吸引ボタンユニット３０には操作部本体３ａの吸引シリンダ２４内に摺動自在に装着された吸引ピストン２８、このピストン２８の頭部に設けられた吸引ボタン２９、吸引ボタン取付けゴム３１、吸引ボタン２９を移動可能に支持する支持部材３２、リターンスプリング３３等の構成部品が設けられている。そして、この吸引切換え弁２１の吸引ボタン２９を操作することによって、吸引の切り換を行うことができるようになっている。
　【００４９】
　また、送気送水切換え弁２２には図８に示すように操作部本体３ａ内に形成された送気送水シリンダ４２が設けられている。この送気送水シリンダ４２の開口端縁部にはシリンダ口金４８がねじ込み固定されている。このシリンダ口金４８には送気送水ボタンユニット取り付け溝４８ａが形成されており、送気送水ボタンユニット４５が取り外し可能に装着されている。
　【００５０】
　この送気送水ボタンユニット４５には操作部本体３ａの送気送水シリンダ４２内に摺動自在に装着された送気送水ピストン４３、このピストン４３の頭部に設けられた送気送水ボタン４４、送気送水ボタン取付けゴム４６、送気送水ボタン４４を移動可能に支持する支持部材４７、リターンスプリング４９等の構成部品が設けられている。
　【００５１】
　そして、この送気送水切換え弁２２の送気送水ボタン４４を操作することによって、送気及び送水動作を切換えられるようにしてある。なお、５０は送気送水ボタン４４のリーク孔である。さらに、送気送水シリンダ４２はシリンタ底部に上流側送水管路６ｂとの連結口が開口されており、洗浄除水の際、シリンダ４２内に洗浄水が残留することを防止するようになっている。
　【００５２】
　また、補助注入装置６１は図１に示す構成になっている。すなわち、把持部７１のケーシング７１ａには補助注入装置６１の装着穴７１ｂが形成されている。この装着穴７１ｂ内には補助注入装置６１の略円筒状の接続部材６３が挿入されている。この接続部材６３の外周面には装着穴７１ｂ内に固定される取付けフランジ５３が形成されている。なお、取付けフランジ５３と接続部材６３とはプラスチックなどの電気絶縁材料によって一体に形成されている。
　【００５３】
　さらに、把持部７１の内部には下流側送水管路６ａの途中に介設された補助注入用容器５１が設置されている。この容器５１はたとえば図９に示すように操作部３内の支持筒５２に対して固定ねじなどを利用して取付け固定されている。
　【００５４】
　また、容器５１には下流側送水管路６ａの下流側部分６ａ１と接続される第１の接続通路５１ａ、下流側送水管路６ａの上流側部分６ａ２と接続される第２の接続通路５１ｂおよび一端がこれらの接続通路５１ａ、５１ｂと接続された第３の接続通路５１ｃがそれぞれ形成されている。
　【００５５】
　さらに、容器５１の第３の接続通路５１ｃの他端部には例えばゴム等の弾性材料によって形成された円筒状の注入口体５５の先端部分が連結されている。この場合、注入口体５５には先端部分に小径部５５ａ、基端部に大径部５５ｂ、小径部５５ａと大径部５５ｂとの間の中間部分に中径部５５ｃがそれぞれ形成されている。
　【００５６】
　そして、この注入口体５５の小径部５５ａは接続部材６３の内部に配設された略有底円筒状の支持筒５６の底部中央の円孔内に挿入されている。さらに、支持筒５６の内底部と注入口体５５の中径部５５ｃとの間にはシールリング６２が装着されている。
　【００５７】
　また、支持筒５６の底部側の外周面には容器５１との接合部分をシールするシール部材６０が嵌着されている。さらに、この支持筒５６の外周面には接続部材６３の内周面との接合部位にＯリング装着溝が形成されており、このＯリング装着溝に装着されたＯリング１０８によって接続部材６３の内周面と支持筒５６の外周面との間が水密的にシールされている。
　【００５８】
　また、注入口体５５の内部には主管路である下流側送水管路６ａ側からの流体の逆流を防止する逆止弁５８，５９が設けられている。この場合、一方の逆止弁５８は弾性体からなる平板状の弁体の中央にスリット７７が形成されたものである。さらに、他方の逆止弁５９には弾性体からなる平板状の弁体に注入口体５５の小径部５５ａの内部に挿入される凹部５９ａが形成され、この凹部５９ａの中央にスリット７８が形成されたものである。
　【００５９】
　また、注入口体５５の中径部５５ｃの内周面には内部側に向けて突設された突起部（弁支持部）１０７が形成されている。そして、注入口体５５内の逆止弁５８，５９はこの突起部１０７によって着脱自在に支持されている。
　【００６０】
　さらに、注入口体５５の大径部５５ｂ内周面には開口端部側にチューブ接続用のねじ部１０５が形成されている。このねじ部１０５には補助送液の際に送液を行うシリンジを接続する接続ねじが螺着されるようになっている。
　【００６１】
　また、注入口体５５は支持筒５６とともに大径部５５ｂの上方より締付けリング７０によって押え付けられ、この押圧力により上記シール部材６０およびシールリング６２の水密が保たれるようになっている。
　【００６２】
　なお、容器５１の上面と支持筒５６との間のシール部材６０の肉厚を操作部本体３の支持筒５２と接続部材６３の取付けフランジ５３との間の部品公差による位置ずれ量より大きく設定することにより、接続部材６３の取付けフランジ５３に対して操作部本体３の支持筒５２が部品公差により移動しても水密を確保したままでこれを吸収できるようになっている。
　【００６３】
　さらに、締付けリング７０およびこの締付けリング７０の外側に配設された係合部材６６の外側には接続部材６３の取付けフランジ５３の外側に露出する金属部分を絶縁するための弾性体からなる絶縁キャップ１０６が被嵌されている。
　【００６４】
　次に、接続部材６３に注入口体５５および支持筒５６を取り付ける取付け構造について説明する。ここで、接続部材６３の上端には図９（Ａ），（Ｂ）に示すように注入口体５５の回転を阻止するための突起６５が設けられている。この突起６５は注入口体５５側に形成された図示しない係合溝に嵌合され、注入口体５５の回転を阻止するようになっている。
　【００６５】
　また、接続部材６３の上端側部には係合部材６６に設けられた腕部６７の内径よりも大きな径を持つ係合部６８が形成されている。そして、図９（Ｂ）に示すように接続部材６３の側方からその係合部６８の下に係合部材６６の腕部６７を差し込み、係合部材６６の腕部６７を接続部材６３の係合部６８の下に入り込ませた状態で係合させることにより、係合部材６６を上下方向には動かないように固定することかできる。
　【００６６】
　さらに、係合部材６６の内面にはめねじ６９が刻設されている。このめねじ６９には締付けリング７０が螺合するようになっている。締付けリング７０は２段の径が異なる形状に形成されている。この場合、締付けリング７０の下端部分は上端部分の径より大きく形成され、その段部下面は接続部材６３の上端７５に付き当るようになっている。
　【００６７】
　また、締付けリング７０の上端部分は注入口体５５の大径部５５ｂに設けたフランジ７６の肉厚よりも小さく設定されており、接続部材６３に係合部材６６を取り付け、締付けリング７０を締め付けると、そのフランジ部７６に当接するようになっている。
　【００６８】
　そして、補助注入装置６１の組立て作業は次のように行う。まず、接続部材６３に係合部材６６を上述したようにして装着する。続いて、接続部材６３内に支持筒５６、注入口体５５を順次挿入し、最後に、締付けリング７０をねじ込む。
　【００６９】
　これにより締付けリング７０は接続部材６３の上端面７５に当り、さらに、ねじ込むと、係合部材６６を上方へ引き上げる。係合部材６６の腕部６７は接続部材６３のフランジ部６８に当り、この腕部６７と締付けリング７０とによりフランジ部６８を締付けることにより、係合部材６６を接続部材６３に固定できる。
　【００７０】
　さらに、締付けリング７０は注入口体５５のフランジ部７６をも下方に押付け、シール部材６０を容器５１の上面に押付けると同時に、シールリング６２を支持筒５６と注入口体５５との間に水密的に挟持させる。
　【００７１】
　そして、補助注入装置６１による下流側送水管路６ａへの流体の注入作業時にはチューブ接続用のねじ部１０５に送液を行うシリンジ等の図示しない注入用チューブの接続ねじを螺合する。この状態で、注入手段より流体の送液を行うと、その注入圧で逆止弁５８，５９のスリット７７，７８を押し広げ、下流側送水管路６ａに流体が注入される。
　【００７２】
　さらに、注入口体５５からの逆止弁５８，５９の着脱作業は次の様に行われる。まず、図１０（Ａ）に示す様に、フック部８０を有する脱着治具７９を逆止弁５８，５９のスリット７７，７８より刺し込む。続いて、フック部８０を下側の逆止弁５９の内面に引掛ける。そして、このままの状態で脱着治具７９を引抜くことにより、逆止弁５８，５９が突起１０７を乗り超えて外れるようになっている。
　【００７３】
　また、注入口体５５の洗浄は次の様に行う。まず、図１０（Ｂ）に示す様に逆止弁５８，５９を注入口体５５から取り外した後、ブラシ１０４を注入口体５５の内部に挿入し、ブラッシングを行う。その後、図示しない送水装置からの送水により、注入口体５５内の汚れが補助注入装置６１の外部にすすぎ出される。
　【００７４】
　そこで、上記構成のものにあっては補助注入装置６１の注入口体５５の突起部１０７によって逆止弁５８，５９を着脱自在に支持させ、補助注入装置６１の内部の洗浄作業時には注入口体５５の突起部１０７から逆止弁５８，５９を取り外すようにしたので、補助注入装置６１の内部全体を角々まで洗浄することができる。そのため、補助注入装置６１の注入口体５５の内部に汚物の残留を確実に防止できるので、従来に比べて補助注入装置６１の内部の洗浄性を高め、雑菌の繁殖を防止して患者への感染を確実に防止することができる。
　【００７５】
　また、図１１（Ａ），（Ｂ）はこの発明の第２の実施の形態を示すものである。これは、補助注入装置６１の構成を変更したものである。すなわち、この実施の形態の補助注入装置６１には有底円筒状の容器体１１２が設けられている。この容器体１１２の底部には下流側送水管路６ａの下流側部分６ａ１と接続される第１の接続通路１１２ａ、下流側送水管路６ａの上流側部分６ａ２と接続される第２の接続通路１１２ｂがそれぞれ形成されている。
　【００７６】さらに、この容器体１１２の内周面には雌ねじ部１１２ａが形成されている。この容器体１１２の雌ねじ部１１２ａには把持部７１のケーシング７１ａの外部側に配設された注入口金１１３の下端部が螺合されており、容器体１１２と注入口金１１３との間でケーシング７１ａを挟み込む形で容器体１１２および注入口金１１３が固定されている。
　【００７７】
　また、容器体１１２の開口端部の外周面側にはＯリング装着溝が形成されており、このＯリング装着溝に嵌着されたＯリング１１４が容器体１１２とケーシング７１ａの内面との間に圧着され、このＯリング１１４によってケーシング７１ａ内の水密が確保されている。
　【００７８】
　さらに、注入口金１１３の内周面側にはチューブ接続用のねじ部１１６が設けられ、図示しない注入用チューブが螺合される様になっている。このねじ部１１６の下方には逆止弁装着溝１１７が設けられ、この逆止弁装着溝１１７に下流側送水管路６ａ側からの流体の噴出を防止する弾性体の逆止弁１１８が着脱自在にはめ込まれている。なお、１１８ａは逆止弁１１８のスリットである。また、注入口金１１３の外側には絶縁部材よりなる被覆カバー１２３が装着されている。
　【００７９】
　そこで、上記構成のものにあっては補助注入装置６１の注入口金１１３の逆止弁装着溝１１７によって逆止弁１１８を着脱自在に支持させ、補助注入装置６１の内部の洗浄作業時には注入口金１１３の逆止弁装着溝１１７から逆止弁１１８を取り外すようにしたので、第１の実施の形態と同様に補助注入装置６１の内部全体を角々まで洗浄することができる。そのため、補助注入装置６１の注入口金１１３の内部に汚物の残留を確実に防止できるので、従来に比べて補助注入装置６１の内部の洗浄性を高め、雑菌の繁殖を防止して患者への感染を確実に防止することができる。
　【００８０】
　なお、この実施の形態では補助注入装置６１が把持部７１のケーシング７１ａに直接的に組み付けられるので、操作部３の組み付けのバラツキを吸収する構造を設ける必要がなく、コストの低下を図ることができる。
　【００８１】
　また、図１２および図１３はこの発明の第３の実施の形態を示すものである。これは、第２の実施の形態の注入口金１１３内のねじ部１１６に逆止弁１１９を着脱自在に支持する略管状のチューブ装着アダプター１２１を螺着させたものである。
　【００８２】
　このチューブ装着アダプター１２１の外端部外周面には補助注水手段との連結チューブを取り付けるためのチューブ取り付け溝１２２が形成されており、図示しない補助注水手段に装着されたチューブが取付けられる構成となっている。
　【００８３】
　さらに、チューブ装着アダプター１２１の内部には内端部側に逆止弁１１９支持用の凹陥部１２１ｂが形成されている。この凹陥部１２１ｂの内周面には開口端部側に雌ねじ部が形成されており、この雌ねじ部に螺着させた中空ボルト１２０によって逆止弁１１９を着脱可能に支持させるようになっている。
　【００８４】
　そこで、上記構成のものにあってはチューブ装着アダプター１２１によって逆止弁１１９を着脱自在に支持させ、補助注入装置６１の内部の洗浄作業時には注入口金１１３からチューブ装着アダプター１２１を取り外すことにより、逆止弁１１９を取り外すようにしたので、第２の実施の形態と同様に補助注入装置６１の内部全体を角々まで洗浄することができ、補助注入装置６１の注入口金１１３の内部に汚物の残留を確実に防止して補助注入装置６１の内部の洗浄性を高め、雑菌の繁殖を防止して患者への感染を確実に防止することができる。
　【００８５】
　さらに、この場合には注入口金１１３からチューブ装着アダプター１２１を取り外すことにより、逆止弁１１９を注入口金１１３から取り外すことができるので、逆止弁１１９の着脱性をさらに向上させることができる。
　【００８６】
　また、補助注水装置６１を使用しない場合は注入口金１１３からチューブ装着アダプター１２１を外し、図１３に示す様に蓋体１３１をこの注入口金１１３に装着することができる。
　【００８７】
　さらに、洗浄作業時にはチューブ装着アダプター１２１又は蓋体１３１を外すことにより容器体１１３内を洗浄できるだけでなく、下流側送水管路６ａにブラシを挿入することも可能となる。
　【００８８】
　なお、この発明は上記実施の形態に限定されるものではない。例えば、上記各実施の形態では挿入部２内の下流側送水管路６ａの途中に設けられた補助注入装置６１を示したが、体腔内を直接洗浄する為の専用管路に本願に示す補助注入装置６１を設けても良い。さらに、その他この発明の要旨を逸脱しない範囲で種々変形実施できることは勿論である。
　【００８９】
　【発明の効果】
　本発明によれば注水口から送水管路の内部への洗浄性を高め、雑菌の繁殖を防止して患者への感染を確実に防止することができる。
【図面の簡単な説明】
　【図１】
　この発明の第１の実施の形態の要部構成を示す縦断面図。
　【図２】
　内視鏡全体の概略構成図。
　【図３】
　ユニバーサルコードのコネクタ部の連結凹部と送水タンク側の連結具との連結状態を示す縦断面図。
　【図４】
　ユニバーサルコードのコネクタ部の連結凹部と送水タンク側の連結具との連結解除状態を示すもので、（Ａ）はコネクタ部の連結凹部を示す縦断面図、（Ｂ）は送水タンク側の縦断面図。
　【図５】
　操作部の斜視図。
　【図６】
　湾曲操作部の概略構成を示す縦断面図。
　【図７】
　吸引切換え弁を示す縦断面図。
　【図８】
　送気送水切換え弁を示す縦断面図。
　【図９】
　補助注入装置を示すもので、（Ａ）は要部の縦断面図、（Ｂ）は係合部材の取り付け状態を示す斜視図。
　【図１０】
　逆止弁の取り外し作業を説明するもので、（Ａ）は脱着治具の挿入状態を示す要部の縦断面図、（Ｂ）は弁支持部から逆止弁を取り外した状態を示す要部の縦断面図。
　【図１１】
　この発明の第２の実施の形態を示すもので、（Ａ）は補助注入装置の縦断面図、（Ｂ）は（Ａ）のＡ−Ａ線断面図。
　【図１２】
　この発明の第３の実施の形態を示す要部の縦断面図。
　【図１３】
　第３の実施の形態の補助注入装置の注入口金に蓋体を装着した状態を示す縦断面図。
　【図１４】
　ユニバーサルコードのコネクタ部と送水タンク側の連結具との連結状態の変形例を示す縦断面図。
　【符号の説明】
　２　挿入部
　６ａ　下流側送水管路
　５８、５９　逆止弁
　６１　補助注入装置（注水口）
　１０４　掃除用ブラシ